(57)【要約】【課題】劣化により識別困難にならず、しかも配管部品の汎用性や互換性が高い配管接続構造を提供する。【解決手段】建設機械（１５）に使用され、互いに接続可能な継手（３ａ，３ｂ）が端部に取付けられた配管同士の誤接続防止機能を備えた配管接続構造であって、一方の配管の継手とは隔たった箇所と他方の配管の継手とは隔たった箇所とにそれぞれ取付け固定される一対のクランプ継手（５ａ，５ｂ）と、対向する端面が突き合わされて嵌合する形状を持つと共に、当該対向する端面と反対側の離間する端面近傍が一対のクランプ継手の所定箇所にそれぞれ取付け固定される一対の識別プレート（４ａ，４ｂ）と、を備えたことを特徴とする。【選択図】図３
2018155039.tif 000002
【特許請求の範囲】
【請求項１】
建設機械に使用され、互いに接続可能な継手が端部に取付けられた配管同士の誤接続防止機能を備えた配管接続構造であって、
一方の配管の前記継手とは隔たった箇所と他方の配管の前記継手とは隔たった箇所とにそれぞれ取付け固定される一対のクランプ継手と、対向する端面が突き合わされて嵌合する形状を持つと共に、当該対向する端面と反対側の離間する端面近傍が前記一対のクランプ継手の所定箇所にそれぞれ取付け固定される一対の識別プレートと、を備えたことを特徴とする配管接続構造。
【請求項２】
請求項１記載の配管接続構造において、
前記一対の識別プレートにおける前記嵌合する形状は、配管接続種別毎に異なるパターンとされたことを特徴とする配管接続構造。
【請求項３】
請求項１又は２記載の配管接続構造において、
前記一対の識別プレートにおける前記嵌合する形状は、少なくとも１以上の凸部と当該凸部の相手側の嵌合部となる１以上の凹部とであることを特徴とする配管接続構造。
【請求項４】
請求項１記載の配管接続構造において、
前記一対のクランプ継手は、前記配管の径方向での寸法が異なり、
前記一対の識別プレートにおける前記一対のクランプ継手の前記配管の径方向での寸法が小さい側のクランプ継手に取付けられる識別プレートは、スペーサを介在させて当該一対のクランプ継手の当該寸法の大きい側のクランプ継手に取付けられた相手側の識別プレートに対して同一面となるように位置調節されて当該配管の径方向での寸法が小さい側のクランプ継手に取付け固定されることを特徴とする配管接続構造。
【請求項５】
請求項１記載の配管接続構造を適用した配管を備えたことを特徴とする建設機械。
【発明の詳細な説明】
【技術分野】
【０００１】
本発明は、誤接続防止機能を備えた配管接続構造及びそれを適用した建設機械に関する。
【背景技術】
【０００２】
従来、油圧や空圧を動力として作動する機械では、動力源であるポンプや圧縮機、制御用のバルブ類、各種アクチュエータがパイプやホースで構成される配管によって接続されている。これらの配管は、機械の配置や組立上の都合等から管路の途中で分離できるように配管継手（クランプ）を用いてパイプ同士、ホース同士、或いはパイプとホースとを接続して中継箇所を設けている。
【０００３】
ところで、こうした配管の中継箇所では、同一種類の配管継手が隣接している場合、組立時に誤って異なる組み合わせで接続してしまう可能性もある。異なる組み合わせで接続すると、機械の誤動作による事故、油圧機や空圧機の破損等を起こす可能性があるため、誤接続を防止する対策が求められている。特に建設機械の散水機に具備される配管の接続構造については様々な工夫が施されている。
【０００４】
このような配管の誤接続対策に関連する周知技術として、組付け後の油圧ホースの誤組のチェックを容易にし、種類の異なる油圧ホースの接続ミスによる災害を未然に防止する「建設機械の油圧ホース誤組防止装置」（特許文献１参照）が挙げられる。
【先行技術文献】
【特許文献】
【０００５】
【特許文献１】特開２０１０−１０６５８０号公報
【発明の概要】
【発明が解決しようとする課題】
【０００６】
上述した特許文献１に記載の技術では、複数種類の油圧ホースが種類毎に各種油圧機器等のホース接続部に接続して組付けられる際、油圧ホースの種別を識別するための識別テープを各油圧ホースの接続端近傍に複数貼り付けている。
【０００７】
ところが、識別テープを各油圧ホースに貼り付ける手法では、識別テープの汚れや色褪せ、印刷の薄れ等の劣化を生じると識別が困難になってしまうという課題がある。その他、プラグとソケットとを接続するタイプの継手では、溝と突起とで構成される識別部を設ける手法も知られている。この場合には配管の本数分だけ異なる形状の継手を使用する必要があるため、配管部品の汎用性や互換性の面で課題が残る。
【０００８】
本発明は、このような実状に鑑みてなされたもので、その技術的課題は、劣化により識別困難にならず、しかも配管部品の汎用性や互換性が高い配管接続構造及びそれを適用した建設機械を提供することにある。
【課題を解決するための手段】
【０００９】
上記技術的課題を解決するため、本発明の一態様は、建設機械に使用され、互いに接続可能な継手が端部に取付けられた配管同士の誤接続防止機能を備えた配管接続構造であって、一方の配管の前記継手とは隔たった箇所と他方の配管の前記継手とは隔たった箇所とにそれぞれ取付け固定される一対のクランプ継手と、対向する端面が突き合わされて嵌合する形状を持つと共に、当該対向する端面と反対側の離間する端面近傍が前記一対のクランプ継手の所定箇所にそれぞれ取付け固定される一対の識別プレートと、を備えたことを特徴とする。
【発明の効果】
【００１０】
本発明によれば、劣化により識別困難にならず、しかも配管部品の汎用性や互換性が高い配管接続構造を提供できる。それ以外の課題、構成及び効果は、以下の実施形態の説明により明らかにされる。
【図面の簡単な説明】
【００１１】
【図１】本発明の実施形態に係る配管接続構造が適用される建設機械の一例である解体機の外観構成を示す図である。
【図２】図１に示す解体機に備えられる配管の上面方向から一部破断して拡大して示した図である。
【図３】本発明の実施形態に係る配管接続構造の概略構成を組み付前状態で示した図であり、（ａ）は上面方向から一部破断にして示した図、（ｂ）は左側面方向での断面図、（ｃ）は側面方向から一部破断にして内部構造を露呈して示した図である。
【図４】図３に示す配管接続構造に使用される識別プレートの変形例を上面方向から示した図であり、（ａ）は図３（ａ）に示す形状の図、（ｂ）は変形した形状の一例の図、（ｃ）は変形した形状の他例の図である。
【図５】図３に示す配管接続構造の概略構成を組み付後状態で示した図であり、（ａ）は上面方向から一部破断にして示した図、（ｂ）は側面方向から一部破断にして示した図、（ｃ）は側面方向から一部破断にして内部構造を露呈して示した図である。
【発明を実施するための形態】
【００１２】
以下、本発明の配管接続構造及びそれを適用した建設機械の実施形態について、図面を参照して詳細に説明する。
【００１３】
図１は、本発明の実施形態に係る配管接続構造が適用される建設機械の一例である解体機１５の外観構成を示す図である。
【００１４】
図１を参照すれば、解体機１５は、クローラ式の下部走行体１１に運転室、操縦装置、表示装置、コントローラ、エンジン、各種の配管１４、作業機１３等を備えた上部旋回体１２を旋回可能に搭載して構成される。作業機１３は、ブーム、アーム、固定側バケット、可動側バケット、これらのバケットをアームに対して回転可能に支持するための回転基台、固定側バケットを駆動するためのバケットシリンダ、少なくとも散水用を含む各種の配管１４等を備えて構成される。このような解体機１５は、旋回式建設機械、或いは油圧ショベルとも呼ばれる。尚、解体機１５の構成自体は公知であるため、ここでの説明は省略する。
【００１５】
図２は、上述した解体機１５に備えられる配管１４の上面方向から一部破断して拡大して示した図である。
【００１６】
図２を参照すれば、作業機１３の要部には配管１４が各種別に複数具備されており、本発明の配管接続構造はそれらの配管１４の接続箇所への採用が好適なものである。特に作業機１３のブームの腕の長さを調整する際には油圧ホースの着脱が頻繁に行われるため、接続相手先の配管を適確に識別できることが望まれる。
【００１７】
図３は、本発明の実施形態に係る配管接続構造の概略構成を組み付前状態で示した図である。図３（ａ）は上面方向から一部破断にして示した図である。図３（ｂ）は左側面方向での断面図である。図３（ｃ）は側面方向から一部破断にして内部構造を露呈して示した図である。
【００１８】
図３（ａ）、図３（ｂ）、図３（ｃ）を参照すれば、この配管接続構造は、互いに接続可能な雄型タイプの継手３ａが端部に取付けられた配管１４の一例であるパイプ１と、雌型タイプの継手３ｂが端部に取付けられた配管１４の他例であるホース２との接続に際して、誤接続防止機能が備えられている。
【００１９】
具体的に云えば、この誤接続防止機能は、パイプ１の継手３ａから隔たった箇所とホース２の継手３ｂから隔たった箇所とにそれぞれ取付け固定されるリング状の一対のクランプ継手５ａ、５ｂを一部材とする。その他、対向する端面が突き合わされて嵌合する形状を持つと共に、その対向する端面と反対側の離間する端面近傍が一対のクランプ継手５ａ、５ｂの所定箇所にそれぞれ取付け固定される略長方形状の一対の識別プレート４ａ、４ｂを他部材とする。
【００２０】
一対のクランプ継手５ａ、５ｂは何れも一対の半円殻状部材を蝶番で結合した開閉可能な構造である。一対のクランプ継手５ａ、５ｂを開けた状態でパイプ１、ホース２の外周面に被せて蝶番の反対側の鍔部に設けられたネジ穴にネジ１０を挿入することで、一対のクランプ継手５ａ、５ｂはパイプ１、ホース２の外周面にそれぞれ取付け固定される。一対の識別プレート４ａ、４ｂは、対向する端面が識別プレート４ａでは凸部６となっており、識別プレート４ｂでは凹部７となっている。一対の識別プレート４ａ、４ｂの対向する端面と反対側の離間する端面近傍に設けられた２箇所のネジ穴にネジ９を挿入することで、一対の識別プレート４ａ，４ｂは、一対のクランプ継手５ａ、５ｂにそれぞれ取付け固定される。
【００２１】
ところで、図３（ａ）、図３（ｃ）に示されるように、クランプ継手５ａのパイプ１の口径方向における寸法はクランプ継手５ｂのホース２の口径方向における寸法よりも小さくなっている。そこで、そのまま識別プレート４ａをクランプ継手５ａに取付けると、クランプ継手５ｂに取付けた識別プレート４ｂとの間で段差を生じてしまい、嵌合状態に支障を来す虞がある。そこで、識別プレート４ａについては、図３（ｂ）、図３（ｃ）に示されるようにクランプ継手５ａのパイプ１の径方向でスペーサ８を介在させてクランプ継手５ｂに取付けられた相手側の識別プレート４ｂに対して同一面となるように位置調節する。こうした上で、パイプ１の外周面に対して取付けられたクランプ継手５ａに対してネジ９を締結して識別プレート４ａの取付け固定を行う。
【００２２】
図４は、上述した配管接続構造に使用される識別プレート４ａ、４ｂの変形例を上面方向から示した図であり、同図（ａ）は図３（ａ）に示す形状の図、同図（ｂ）は変形した形状の一例の図、同図（ｃ）は変形した形状の他例の図である。
【００２３】
図４（ａ）を参照すれば、一対の識別プレート４ａ、４ｂは外観が何れも略長方形状のステンレスや鋼鉄等による金属製板であり、それらの短辺における対向する端面と反対側の離間する端面近傍にネジ９を締結するためのネジ穴が２箇所設けられている。短辺における対向する端面について、識別プレート４ａでは中央部分の一箇所に凸部６が設けられ、識別プレート４ｂでは中央部分の一箇所に凹部７が設けられている。
【００２４】
また、図４（ｂ）を参照すれば、変形した形状の一例である一対の識別プレート４ａ′、４ｂ′も外観や材質は一対の識別プレート４ａ、４ｂの場合とほぼ同様となっている。また、それらの短辺における対向する端面と反対側の離間する端面近傍にネジ９を締結するための孔が２箇所設けられている点も同様である。但し、短辺における対向する端面について、識別プレート４ａ′では上方箇所の一箇所に凸部６′が設けられ、識別プレート４ｂ′では上方箇所の一箇所に凹部７′が設けられている点が相違している。
【００２５】
更に、図４（ｃ）を参照すれば、変形した形状の他例である一対の識別プレート４ａ″、４ｂ″も外観や材質は一対の識別プレート４ａ、４ｂの場合とほぼ同様となっている。また、それらの短辺における対向する端面と反対側の離間する端面近傍にネジ９を締結するための孔が２箇所設けられている点も同様である。但し、短辺における対向する端面について、識別プレート４ａ″では上方箇所と下方箇所との二箇所に凸部６ａ、６ｂが設けられ、識別プレート４ｂ″では上方箇所と下方箇所との二箇所に凹部７ａ、７ｂが設けられている点が相違している。
【００２６】
上述した識別プレート４ａに対する識別プレート４ｂ、識別プレート４ａ′に対する識別プレート４ｂ′、識別プレート４ａ″に対する識別プレート４ｂ″のように嵌合される形状を配管接続種別毎に異なるパターンにした上で取付ければ良い。こうした場合、嵌合相手が違えば接続することができないため、誤接続を適確に防止することができる。因みに、嵌合される形状は、上述した凸部６、６′、６ａ、６ｂや凹部７、７′、７ａ、７ｂ以外の形状、例えば半円形状や三角形状の凸部、半円形状や三角形状の凹部にしても構わない。何れにしても図４（ａ）、図４（ｂ）、図４（ｃ）を参照して説明したように配管接続種別毎に嵌合される形状が異なるパターンとされていれば良い。
【００２７】
図５は、図３に示す配管接続構造の概略構成を組付け後状態で示した図である。図５（ａ）は上面方向から一部破断にして示した図である。図５（ｂ）は側面方向から一部破断にして示した図である。図５（ｃ）は側面方向から一部破断にして内部構造を露呈して示した図である。
【００２８】
図５（ａ）、図５（ｂ）、図５（ｃ）を参照すれば、この配管接続構造の組み付後状態では、雄型タイプの継手３ａの先端が雌型タイプの継手３ｂに挿入されて組付けられる。このときに同時に識別プレート４ａの凸部６が識別プレート４ｂの凹部７に嵌合される。この配管接続構造では、クランプ継手５ａにスペーサ８を介在して取付けられた識別プレート４ａとクランプ継手５ｂに取付けられた識別プレート４ｂとがパイプ１の継手３ａとホース２の継手３ｂとの接続を行う際の補強部材にもなる。また、識別プレート４ａの凸部６が識別プレート４ｂの凹部７に嵌合された状態からホース２の接続状態（緩み）を確認することができる。例えば、凸部６と凹部７とが隙間を有して嵌合しているような場合、配管の接続状態に不具合があることを目視確認により容易に発見できる。
【００２９】
上記した実施形態では配管同士の接続として、主にパイプ１とホース２との接続を行う場合を例示したが、パイプ１同士を接続したり、或いはホース２同士を接続する場合でも適用できる。例えばパイプ１同士の接続には図４（ｂ）に示した識別プレート４ａ′に対する識別プレート４ｂ′を適用させ、ホース２同士の接続には図４（ｃ）に示した、識別プレート４ａ″に対する識別プレート４ｂ″を適用させる場合を例示できる。何れにしても、本実施形態に係る配管接続構造を配管同士の接続に適用すれば、補強部材としての機能が接続を機械的に安定させ、嵌合される形状が崩れ難いために劣化により識別困難にならない。しかも配管部品の汎用性や互換性が高い（損われない）という長所を奏する。
【００３０】
尚、本発明は上述した実施形態に限定されず、その技術的要旨を逸脱しない範囲で種々の変形が可能であり、特許請求の範囲に記載された技術思想に含まれる技術的事項の全てが本発明の対象となる。上記実施形態は、好適な例を示したものであるが、当業者であれば、開示した内容から様々な変形例を実現することが可能であるが、これらは添付した特許請求の範囲に記載された技術的範囲に含まれる。また、上記した実施形態では、金属製の識別プレートを例示したが、識別プレートの材質は金属製以外にも、例えば硬質のプラスティック等も本発明において適用できる。
【符号の説明】
【００３１】
１  パイプ
２  ホース
３ａ、３ｂ  継手
４ａ、４ａ′、４ａ″、４ｂ、４ｂ′、４ｂ″  識別プレート
５ａ、５ｂ  クランプ継手
６、６′、６ａ、６ｂ  凸部
７、７′、７ａ、７ｂ  凹部
８〜１０  ネジ
１１  下部走行体
１２  上部旋回体
１３  作業機
１４  配管
１５  解体機
【図１】
2018155039.tif 000003
【図２】
2018155039.tif 000004
【図３】
2018155039.tif 000005
【図４】
2018155039.tif 000006
【図５】
2018155039.tif 000007